(57)【要約】【課題】光源装置に何らの補助装置を設けることなく、ランプ切れが発生したときでも内視鏡検査を続行することができるようにした内視鏡の照明装置を提供すること。【解決手段】光源ランプ５１から入射された照明光を内視鏡挿入部１の先端に伝達して被写体に向けて放射するようにライトガイドファイババンドル１０が配置された内視鏡の照明装置において、ライトガイドファイババンドル１０を構成する光学繊維と、ライトガイドファイババンドル１０の射出端面に面して配置されたカバーレンズ８の少なくとも一方に、残光特性を有する蓄光性部材を用いた。【選択図】      図１
2005177360.tif 000002
【特許請求の範囲】
【請求項１】
光源ランプから入射された照明光を内視鏡挿入部の先端に伝達して被写体に向けて放射するようにライトガイドファイババンドルが配置された内視鏡の照明装置において、
上記ライトガイドファイババンドルを構成する光学繊維と、上記ライトガイドファイババンドルの射出端面に面して配置されたカバーレンズの少なくとも一方に、残光特性を有する蓄光性部材を用いたことを特徴とする内視鏡の照明装置。
【請求項２】
上記蓄光性部材が蓄光性ガラスである請求項１記載の内視鏡の照明装置。
【請求項３】
上記ライトガイドファイババンドルが、蓄光性のない部材からなる光学繊維の周囲に上記蓄光性部材からなる光学繊維を配置して構成されている請求項１又は２記載の内視鏡の照明装置。
【請求項４】
上記ライトガイドファイババンドルを構成する光学繊維の一部又全部が、コアには蓄光性のない部材を用いて、クラッドのみに上記蓄光性部材を用いている請求項１、２又は３記載の内視鏡の照明装置。
【請求項５】
上記内視鏡挿入部の先端において上記ライトガイドファイババンドルの先端部分が接続されている部材が、上記蓄光性部材を混ぜて形成されている請求項１、２、３又は４記載の内視鏡の照明装置。
【発明の詳細な説明】
【技術分野】
【０００１】
この発明は内視鏡の照明装置に関する。
【背景技術】
【０００２】
内視鏡の照明装置としては一般に、光源ランプから入射された照明光を内視鏡挿入部の先端に伝達するようにライトガイドファイババンドルが用いられ、その射出端面から放射された照明光が被写体に向かって照射される（例えば、特許文献１）。
【特許文献１】特開昭６２−８５２１５
【発明の開示】
【発明が解決しようとする課題】
【０００３】
上述のような従来の内視鏡の照明装置においては、光源ランプが切れるとランプ交換をする必要があるので、内視鏡検査中にランプ切れが発生すると検査が中断して患者に大きな負担がかかってしまう場合がある。
【０００４】
そこで、光源装置に予備の光源ランプを内蔵させておき、光源ランプが切れた場合には予備の光源ランプをライトガイドファイババンドルへの入射光路に移動させて点灯させるようにすることも考えられるが、光源装置が徒に大型化して装置コストも大幅に増大してしまう。
【０００５】
そこで本発明は、光源装置に何らの補助装置を設けることなく、ランプ切れが発生したときでも内視鏡検査を続行することができるようにした内視鏡の照明装置を提供することを目的とする。
【課題を解決するための手段】
【０００６】
上記の目的を達成するため、本発明の内視鏡の照明装置は、光源ランプから入射された照明光を内視鏡挿入部の先端に伝達して被写体に向けて放射するようにライトガイドファイババンドルが配置された内視鏡の照明装置において、ライトガイドファイババンドルを構成する光学繊維と、ライトガイドファイババンドルの射出端面に面して配置されたカバーレンズの少なくとも一方に、残光特性を有する蓄光性部材を用いたものであり、蓄光性部材が蓄光性ガラスであってもよい。
【０００７】
なお、ライトガイドファイババンドルが、蓄光性のない部材からなる光学繊維の周囲に蓄光性部材からなる光学繊維を配置して構成されていてもよく、ライトガイドファイババンドルを構成する光学繊維の一部又全部が、コアには蓄光性のない部材を用いて、クラッドのみに蓄光性部材を用いていてもよい。
【０００８】
また、内視鏡挿入部の先端においてライトガイドファイババンドルの先端部分が接続されている部材が、蓄光性部材を混ぜて形成されていてもよい。
【発明の効果】
【０００９】
本発明によれば、ライトガイドファイババンドルを構成する光学繊維と、ライトガイドファイババンドルの射出端面に面して配置されたカバーレンズの少なくとも一方に、残光特性を有する蓄光性部材を用いたことにより、内視鏡検査を行っている最中に光源ランプが切れても、ライトガイドファイババンドルやカバーレンズに蓄光された光により被写体が照明され、光源装置に何らの補助装置を設けることなく、内視鏡検査を続行することができる。
【発明を実施するための最良の形態】
【００１０】
光源ランプから入射された照明光を内視鏡挿入部の先端に伝達して被写体に向けて放射するようにライトガイドファイババンドルが配置された内視鏡の照明装置において、ライトガイドファイババンドルを構成する光学繊維と、ライトガイドファイババンドルの射出端面に面して配置されたカバーレンズの少なくとも一方に、残光特性を有する蓄光性ガラスを用いる。
【実施例】
【００１１】
図面を参照して本発明の実施例を説明する。
図１において、１は内視鏡の挿入部であり、その最先端部分に連結された先端部本体２に観察窓と照明窓等が配置され、挿入部１の基端に連結された操作部３から後方に延出する連結可撓管４の先端には、光源装置５０に着脱自在に接続されるライトガイドコネクタ５が取り付けられている。
【００１２】
そのような構成の内視鏡の全長にわたって挿通配置されたライトガイドファイババンドル１０の入射端面１０ａはライトガイドコネクタ５の突端に配置されて、射出端面１０ｂは先端部本体２に設けられた照明窓６の内側に配置されている。
【００１３】
そして、光源装置５０内に配置された光源ランプ５１から放射された照明光が、集光レンズ５２によってライトガイドファイババンドル１０の入射端面１０ａに収束され、ライトガイドファイババンドル１０により挿入部１の先端まで伝達されて射出端面１０ｂから射出され、照明窓６に面する被写体が照明される。
【００１４】
図２は、挿入部１の先端付近を示しており、ライトガイドファイババンドル１０の射出端部付近が先端部本体２に貫通形成された孔に差し込み固定されている。７は観察窓、８は、照明窓６に取り付けられた例えば凹レンズからなるカバーレンズであり、カバーレンズ８が凸レンズ又は平行平面板等であっても差し支えない。
【００１５】
このように配置された実施例のライトガイドファイババンドル１０は、例えば直径が１０〜５０μｍ程度のガラス製の光学繊維を例えば数千本程度束ねて構成されており、ライトガイドファイババンドル１０を構成する光学繊維は全てが、光照射を受けた後に残光特性を有する蓄光性ガラスにより形成されている。
【００１６】
蓄光性ガラスは、例えば特開２０００−１５９５４３や特開２０００−２８１３８２等に記載されている公知のものを用いることができ、ガラス以外の透明な蓄光性部材を用いてもよい。
【００１７】
なお、そのようなライトガイドファイババンドル１０の光学繊維は、コアとクラッドを共に蓄光性部材で形成してもよいが、コアを蓄光性部材で形成すると可視光の透過率が低下して被写体に対する通常の照明光量が低下する可能性がある。
【００１８】
そこで、図３に示されるように、光学繊維１１のコア１１ａは可視光がよく透過するように蓄光性のない石英ガラス等により形成して、クラッド１１ｂだけを蓄光性部材で形成してもよい。
【００１９】
また、蓄光性部材により形成した光学繊維をライトガイドファイババンドル１０の一部だけに用いてもよく、その場合に、例えば図４に示されるように、ライトガイドファイババンドル１０の内側部分に石英ガラス等によって形成された通常の光学繊維１２を配置して、その周囲に蓄光性部材を用いた光学繊維１１を配置すれば、通常の光学繊維１２から漏洩する照明光が、周囲に拡散することなく蓄光性部材を用いた光学繊維１１に蓄光されて効率がよい。
【００２０】
このように構成された実施例の内視鏡の照明装置によれば、内視鏡検査を行っている最中に光源ランプ５１が切れても、ライトガイドファイババンドル１０がそれまでの照明光伝達によって蓄光しているので、ライトガイドファイババンドル１０から放射される光により被写体が照明されて内視鏡検査を中断することなく続行することができる。
【００２１】
また、照明窓６に配置されたカバーレンズ８も蓄光性部材等で形成すれば、さらに蓄光量が増えるだけでなく、カバーレンズ８は被写体に直接面する位置に配置されているので、光源ランプ５１が途中で切れた時にカバーレンズ８から放射される光によって被写体を効果的に照明することができ、カバーレンズ８だけを蓄光性部材で形成しても差し支えない。
【００２２】
また、図５に示されるように、先端部本体２を蓄光性部材が混入された材料で形成することにより、ライトガイドファイババンドル１０からの漏光で先端部本体２にも蓄光されるので、光源ランプ５１が途中で切れた時に先端部本体２からの放射光によっても被写体を照明することができる。
【図面の簡単な説明】
【００２３】
【図１】本発明の実施例の内視鏡装置の全体構成図である。
【図２】本発明の実施例の内視鏡の挿入部先端付近の側面断面図である。
【図３】本発明の実施例の蓄光性部材を用いた光学繊維の断面図である。
【図４】本発明の実施例のライトガイドファイババンドルの断面図である。
【図５】本発明の実施例の蓄光性部材が先端部本体に混入された内視鏡の挿入部先端付近の側面断面図である。
【符号の説明】
【００２４】
１  挿入部
２  先端部本体
６  照明窓
８  カバーレンズ
１０  ライトガイドファイババンドル
１０ａ  入射端面
１０ｂ  射出端面
１１  蓄光性部材を用いた光学繊維
１２  通常の光学繊維
５１  光源ランプ
５２  集光レンズ
【図１】
2005177360.tif 000003
【図２】
2005177360.tif 000004
【図３】
2005177360.tif 000005
【図４】
2005177360.tif 000006
【図５】
2005177360.tif 000007